(57)【要約】  可撓性チューブで構成され、装置の所定の位置にセットされる血液チューブアクセス部を有する血液回路（１０）と、可撓性チューブで構成され、前記装置の所定の位置にセットされる透析液チューブアクセス部を有する透析液回路（１２）と、前記血液回路（１０）及び前記透析液回路（１２）を両側から挟んだ状態で一体化する剛性を有する第１パネル（４）及び第２パネル（６）と、前記第１パネル（４）及び前記第２パネル（６）の少なくとも一方で装置の所定の位置に配置される部分に形成された窓部とを備え、前記血液チューブアクセス部及び透析液チューブアクセス部を前記窓部に位置させる。
2017141747.tif 000002
【特許請求の範囲】
【請求項１】
可撓性チューブで構成され、装置の所定の位置にセットされる血液チューブアクセス部を有する血液回路と、  前記血液回路を両側から挟んだ状態で一体化する剛性を有する第１パネル及び第２パネルと、  前記第１パネル及び前記第２パネルの少なくとも一方で装置の所定の位置に配置される部分に形成された窓部とを備え、  前記第１パネル及び前記第２パネルにより形成される空間に収納されている前記血液回路の前記血液チューブアクセス部を前記窓部に位置させることを特徴とする体外循環用カセット。
【請求項２】
前記装置の所定の位置に配置される部分は、前記装置に挿入される部分である請求項１記載の体外循環用カセット。
【請求項３】
前記血液回路の前記血液チューブアクセス部以外の部分の少なくとも一部は、前記第１パネル及び前記第２パネルにより形成される空間に位置する請求項１または２記載の体外循環用カセット。
【請求項４】
可撓性のチューブで構成され、前記装置の所定の位置にセットされる透析液チューブアクセス部を有する透析液回路を更に備え、  前記透析液回路は、前記第１パネル及び前記第２パネルにより形成される前記空間に収納され、  前記透析液回路の前記透析液チューブアクセス部を前記窓部に位置させる請求項１〜３の何れか一項に記載の体外循環用カセット。
【請求項５】
前記透析液回路の前記透析液チューブアクセス部以外の部分の少なくとも一部は、前記第１パネル及び前記第２パネルにより形成される空間に位置する請求項４記載の体外循環用カセット。
【請求項６】
前記窓部は、開口部を有し該開口部において前記血液回路の前記血液チューブアクセス部及び前記透析液回路の前記透析液チューブアクセス部が露出している請求項４または５記載の体外循環用カセット。
【請求項７】
前記血液チューブアクセス部は、血液の流量を制御する血液流量制御部、気泡の検出を行う気泡検出器、圧力の検出を行う圧力検出器、血液の検出を行う血液検出器、前記血液チューブアクセス部を閉塞するクランプ手段、血液の流量を検出する流量検出器の何れかの所定位置にセットされる請求項１〜６の何れか一項に記載の体外循環用カセット。
【請求項８】
前記透析液チューブアクセス部は、透析液の流量を制御する透析液流量制御部、血液の検出を行う血液検出器、圧力の検出を行う圧力検出器、前記透析液チューブアクセス部を閉塞するクランプ手段、透析液の流量を検出する流量検出器の何れかの所定位置にセットされる請求項４〜６の何れか一項に記載の体外循環用カセット。
【請求項９】
一体化した前記第１パネル及び前記第２パネルの一方の側部形状と他方の側部形状が非対称である請求項１〜８何れか一項に記載の体外循環用カセット。
【請求項１０】
一体化した前記第１パネル及び前記第２パネルの一方の側部の厚さと他方の側部の厚さが異なる請求項１〜８の何れか一項に記載の体外循環用カセット。
【請求項１１】
一体化した前記第１パネル及び前記第２パネルの一方の側部及び他方の側部は、前記装置に形成されたカセットスロット内に設けられたレールに嵌合するガイドを有する請求項１〜８の何れか一項に記載の体外循環用カセット。
【請求項１２】
前記第１パネル及び前記第２パネルの少なくとも一方の前記装置に挿入する部分には、前記装置に形成されたカセットスロット内に設けられたカセットスロット側嵌合部と嵌合するカセット側嵌合部が形成されている請求項１〜８の何れか一項に記載の体外循環用カセット。
【請求項１３】
前記第１パネル及び前記第２パネルは、１つのパネルを折り曲げて形成されている請求項１〜１２の何れか一項に記載の体外循環用カセット。
【請求項１４】
更に血液浄化手段を備える請求項１〜１３の何れか一項に記載の体外循環用カセット。
【請求項１５】
前記血液浄化手段と前記第１パネル及び前記第２パネルとの間には、空間が形成されている請求項１４記載の体外循環用カセット。
【請求項１６】
前記第１パネル及び前記第２パネルの少なくとも一方に設けられた、前記血液チューブアクセス部の両端及び前記透析液チューブアクセス部の両端に接続されたコネクタを嵌合させる狭小部を備える請求項１〜１５の何れか一項に記載の体外循環用カセット。
【発明の詳細な説明】
【技術分野】
【０００１】  本発明は、血液浄化療法に使用される体外循環用カセットに関するものである。
【背景技術】
【０００２】  従来、採取した患者の血液を体外循環させ浄化して治療を行う血液浄化装置として、血液透析装置、血液濾過装置などが存在する。これらの血液浄化装置においては、患者の治療を行う毎に新しい血液回路、透析液回路や血液浄化手段を血液浄化装置に装着する必要があり、装着のための作業が煩雑となることから、血液回路や透析液回路等を一体化させて血液浄化装置に装着することにより作業の効率化を図っている。【０００３】  ここで血液回路や透析液回路等を一体化させる方式としては、パネルに血液回路を構成するチューブ等を貼り付け、チューブを貼り付けたパネルを血液浄化装置の筐体に装着する方式や、血液回路を構成する流路等をカセット内に一体成型する方式（特許文献１参照）が知られている。
【先行技術文献】
【特許文献】
【０００４】
【特許文献１】特許第４１９７７９５号公報
【発明の概要】
【発明が解決しようとする課題】
【０００５】  しかしながら、パネルに血液回路を構成するチューブ等を貼り付ける方式を採取した場合、パネルにチューブを貼り付けることによりチューブの位置決めは可能となるが、パネルの周囲にチューブが露出しているため血液浄化装置に装着する際にチューブが邪魔になり操作性が悪いという問題がある。また血液回路を構成する流路等をカセット内に一体成型する方式を採用した場合には、カセットの構造が複雑になり体外循環用カセット自体のコストが高くなるという問題がある。【０００６】  本発明の目的は、着脱操作性に優れ安価な体外循環用カセットを提供することである。
【課題を解決するための手段】
【０００７】（１）可撓性チューブで構成され、装置の所定の位置にセットされる血液チューブアクセス部を有する血液回路と、前記血液回路を両側から挟んだ状態で一体化する剛性を有する第１パネル及び第２パネルと、前記第１パネル及び前記第２パネルの少なくとも一方で装置の所定の位置に配置される部分に形成された窓部とを備え、前記第１パネル及び前記第２パネルにより形成される空間に収納されている前記血液回路の前記血液チューブアクセス部を前記窓部に位置させる体外循環用カセット。【０００８】  （２）前記装置の所定の位置に配置される部分は、前記装置に挿入される部分である（１）記載の体外循環用カセット。【０００９】（３）前記血液回路の前記血液チューブアクセス部以外の部分の少なくとも一部は、前記第１パネル及び前記第２パネルにより形成される空間に位置する（１）または（２）記載の体外循環用カセット。【００１０】（４）可撓性のチューブで構成され、装置の所定の位置にセットされる透析液チューブアクセス部を有する透析液回路を更に備え、前記透析液回路は、前記第１パネル及び前記第２パネルにより形成される前記空間に収納され、前記透析液回路の前記透析液チューブアクセス部を前記窓部に位置させる（１）〜（３）の何れかに記載の体外循環用カセット。【００１１】（５）前記透析液回路の前記透析液チューブアクセス部以外の部分の少なくとも一部は、前記第１パネル及び前記第２パネルにより形成される空間に位置する（４）記載の体外循環用カセット。【００１２】（６）前記窓部は、開口部を有し該開口部において前記血液回路の前記血液チューブアクセス部及び前記透析液回路の前記透析液チューブアクセス部が露出している（４）または（５）記載の体外循環用カセット。【００１３】（７）前記血液チューブアクセス部は、血液の流量を制御する血液流量制御部、気泡の検出を行う気泡検出器、圧力の検出を行う圧力検出器、血液の検出を行う血液検出器、前記血液チューブアクセス部を閉塞するクランプ手段、血液の流量を検出する流量検出器の何れかの所定位置にセットされる（１）〜（６）の何れかに記載の体外循環用カセット。【００１４】（８）前記透析液チューブアクセス部は、透析液の流量を制御する透析液流量制御部、血液の検出を行う血液検出器、圧力の検出を行う圧力検出器、前記透析液チューブアクセス部を閉塞するクランプ手段、透析液の流量を検出する流量検出器の何れかの所定位置にセットされる（４）〜（６）の何れかに記載の体外循環用カセット。【００１５】（９）一体化した前記第１パネル及び前記第２パネルの一方の側部形状と他方の側部形状が非対称である（１）〜（８）の何れかに記載の体外循環用カセット。【００１６】（１０）一体化した前記第１パネル及び前記第２パネルの一方の側部の厚さと他方の側部の厚さが異なる（１）〜（８）の何れかに記載の体外循環用カセット。【００１７】  （１１）一体化した前記第１パネル及び前記第２パネルの一方の側部及び他方の側部は、前記装置に形成されたカセットスロット内に設けられたレールに嵌合するガイドを有する（１）〜（８）の何れかに記載の体外循環用カセット。【００１８】  （１２）前記第１パネル及び前記第２パネルの少なくとも一方の前記装置に挿入する部分には、前記装置に形成されたカセットスロット内に設けられたカセットスロット側嵌合部と嵌合するカセット側嵌合部が形成されている（１）〜（８）の何れかに記載の体外循環用カセット。【００１９】  （１３）前記第１パネル及び前記第２パネルは、１つのパネルを折り曲げて形成されている（１）〜（１２）の何れかに記載の体外循環用カセット。【００２０】  （１４）更に血液浄化手段を備える（１）〜（１３）の何れかに記載の体外循環用カセット。【００２１】  （１５）前記血液浄化手段と前記第１パネル及び前記第２パネルとの間には、空間が形成されている（１４）記載の体外循環用カセット。【００２２】  （１６）前記第１パネル及び前記第２パネルの少なくとも一方に設けられた、前記血液チューブアクセス部の両端及び前記透析液チューブアクセス部の両端に接続されたコネクタを嵌合させる狭小部を備える（１）〜（１５）の何れかに記載の体外循環用カセット。
【発明の効果】
【００２３】  （１）記載の体外循環用カセットによれば、可撓性チューブにより構成される血液回路を剛性を有する第１パネル及び第２パネルにより形成される空間に収納し、血液回路の血液チューブアクセス部を第１パネル及び第２パネルの窓部に位置させるため、装置の所定の位置への配置を容易に行うことができ、血液チューブアクセス部の位置決めも正確に行うことができる。また、第１パネル及び第２パネルにより形成された空間に血液回路を収納する構造であるため、体外循環用カセットを安価に製造することができる。【００２４】  （２）記載の体外循環用カセットによれば、可撓性チューブにより構成される血液回路を剛性を有する第１パネル及び第２パネルにより形成される空間に収納し、血液回路の血液チューブアクセス部を第１パネル及び第２パネルの窓部に位置させるため、装置への挿入を容易に行うことができ、血液チューブアクセス部の位置決めも正確に行うことができる。【００２５】  （３）記載の体外循環用カセットによれば、血液回路の血液チューブアクセス部以外の部分の少なくとも一部を第１パネル及び第２パネルにより形成された空間に位置させるため、装置の所定の位置に配置する際にチューブが邪魔にならず容易に挿入することができる。【００２６】  （４）記載の体外循環用カセットによれば、可撓性チューブにより構成される透析液回路を第１パネル及び第２パネルにより形成される空間に収納し、透析液回路の透析液チューブアクセス部を第１パネル及び第２パネルの窓部に位置させるため、装置の所定の位置に配置する際にチューブが邪魔にならず容易に挿入することができる。【００２７】  （５）記載の体外循環用カセットによれば、透析液回路の透析液チューブアクセス部以外の部分の少なくとも一部を第１パネル及び第２パネルにより形成された空間に位置させるため、装置の所定の位置に配置する際にチューブが邪魔にならず容易に挿入することができ、透析液チューブアクセス部の位置決めも正確に行うことができる。【００２８】  （６）記載の体外循環用カセットによれば、開口部において血液回路の血液チューブアクセス部及び透析液回路の透析液チューブアクセス部が露出しているため、血液チューブアクセス部及び透析液チューブアクセス部を所定の位置にセットすることができる。【００２９】  （７）記載の体外循環用カセットによれば、血液の流量を制御する血液流量制御部、気泡の検出を行う気泡検出器、圧力の検出を行う圧力検出器、血液の検出を行う血液検出器、前記血液チューブアクセス部を閉塞させるクランプ手段、血液の流量を検出する流量検出器の何れかの所定の位置に血液チューブアクセス部を正確にセットすることができる。【００３０】  （８）記載の体外循環用カセットによれば、透析液の流量を制御する透析液流量制御部、血液の検出を行う血液検出器、圧力の検出を行う圧力検出器、前記透析液チューブアクセス部を閉塞させるクランプ手段、透析液の流量を検出する流量検出器の何れかの所定の位置に透析液チューブアクセス部を正確にセットすることができる。【００３１】  （９）記載の体外循環用カセットによれば、一体化した第１パネル及び第２パネルの一方の側部形状と他方の側部形状が非対称であるため、装置のカセットスロットに体外循環用カセットを装着する際に、体外循環用カセットの向きを間違えて挿入するのを防止することができる。【００３２】  （１０）記載の体外循環用カセットによれば、一体化した第１パネル及び第２パネルの一方の側部の厚さと他方の側部の厚さが異なるため、装置のカセットスロットに体外循環用カセットを装着する際に、体外循環用カセットの向きを間違えて挿入するのを防止することができる。【００３３】  （１１）記載の体外循環用カセットによれば、体外循環用カセットをカセットスロットに挿入する際の操作性を向上させることができる。【００３４】  （１２）記載の体外循環用カセットによれば、体外循環用カセットのカセットスロットへの挿入が完了したことを感知でき操作性を向上させることができる。【００３５】  （１３）記載の体外循環用カセットによれば、第１パネル及び第２パネルを１つのパネルを折り曲げて形成するため、製造コストの削減を図ることができる。【００３６】  （１４）記載の体外循環用カセットによれば、血液回路や透析液回路だけでなく、血液浄化手段も同時に装置に着脱することができ着脱操作性を更に向上させることができる。【００３７】  （１５）記載の体外循環用カセットによれば、血液浄化手段と第１パネル及び第２パネルとの間には空間が形成されているため、血液浄化手段を手で持ち体外循環用カセットを装置に着脱することができる。【００３８】  （１６）記載の体外循環用カセットによれば、血液チューブアクセス部の両端及び透析液チューブアクセス部の両端に接続されたコネクタを狭小部に固定することができ、体外循環用カセットの組み立ての作業性を向上させることができる。
【図面の簡単な説明】
【００３９】
【図１】実施の形態に係る血液浄化装置及び体外循環用カセットの斜視図である。
【図２】実施の形態に係る体外循環用カセットを構成するパネル（一体化前）の斜視図である。
【図３】実施の形態に係る体外循環用カセットの正面図である。
【図４】実施の形態に係る体外循環用カセットに収納されている血液回路、透析液回路を示す図である。
【図５】実施の形態に係る血液浄化装置に体外循環用カセットを装着した状態を示す斜視図である。
【図６】実施の形態に係る体外循環用カセットの正面図である。
【図７】実施の形態に係る体外循環用カセットを血液浄化装置の所定位置に配置する状態を示す図である。
【図８】実施の形態に係る体外循環用カセットの正面図である。
【図９】実施の形態に係る体外循環用カセットをカセットスロットに挿入した状態を示す図である。
【図１０】実施の形態に係る体外循環用カセットの正面図である。
【図１１】実施の形態に係る体外循環用カセットの凹部にカセットスロット内に形成されている突起部が嵌合した状態を示す図である。
【図１２】実施の形態に係る体外循環用カセットに形成された嵌合部及びコネクタを示す図である。
【図１３】実施の形態に係る体外循環用カセットの嵌合部に形成された狭小部を示す図である。
【発明を実施するための形態】
【００４０】  以下、図面を参照して、実施の形態に係る血液浄化装置に着脱可能に装着される体外循環用カセットについて説明する。図１は血液浄化装置及び体外循環用カセットを示す斜視図である。図１に示すように血液浄化装置1の前面には、体外循環用カセット２を挿入することにより装着するカセットスロット１ａが設けられている。
【００４１】  体外循環用カセット２は、剛性を有する第１パネル４及び第２パネル６を備えている。図２に示すように第１パネル４は、血液浄化装置１により、後述する血液チューブアクセス部１０ａ，１０ｂ，１０ｃや透析液チューブアクセス部１２ａ，１２ｂの外から内部のセンシングやチューブ内の液体の流量制御等を行う際に血液チューブアクセス部１０ａ，１０ｂ，１０ｃや透析液チューブアクセス部１２ａ，１２ｂが所定の位置にセットされる窓部として用いられる開口部４ａを有する平面視矩形状のチューブ収納部４ｂを備えている。ここで開口部４ａは、チューブ収納部４ｂの略中央部に形成されており体外循環用カセット２を血液浄化装置１のカセットスロット１ａに装着した際に、カセットスロット１ａ内に挿入される。
【００４２】  チューブ収納部４ｂは一方の端部（図２における右端部）の一方の側部（図２における上部）及び他方の側部（図２における下部）に延設され、ダイアライザー（血液浄化手段）８を保持する２つの保持部４ｃを有する。またチューブ収納部４ｂは他方の端部（図２における左端部）の一方の側部及び他方の側部に第２パネル６と一体化する際に用いられる嵌合凹部４ｄを有すると共に、２つの保持部４ｃのそれぞれの端部に第２パネル６と一体化する際に用いられる嵌合凹部４ｅを有する。
【００４３】  第２パネル６は、図２に示すように第１パネル４に対応する形状を有している。即ち血液浄化装置１により血液チューブアクセス部１０ａ，１０ｂ，１０ｃや透析液チューブアクセス部１２ａ，１２ｂの外から内部のセンシングやチューブ内の液体の流量制御等を行う際に血液チューブアクセス部１０ａ，１０ｂ，１０ｃや透析液チューブアクセス部１２ａ，１２ｂが所定の位置にセットされる窓部として用いられる開口部６ａを有する平面視矩形状のチューブ収納部６ｂを備えている。ここで開口部６ａは、チューブ収納部６ｂの略中央部の開口部４ａに対応する位置に形成されており、体外循環用カセット２を血液浄化装置１のカセットスロット１ａに装着した際に、カセットスロット１ａ内に挿入される。
【００４４】  チューブ収納部６ｂは一方の端部（図２における右端部）の一方の側部（図２における上部）及び他方の側部（図２における下部）に延設されダイアライザー８を保持する２つの保持部６ｃを有する。またチューブ収納部６ｂは他方の端部（図２における左端部）の一方の側部及び他方の側部に第１パネル４と一体化する際に用いられる嵌合凸部６ｄを有すると共に、２つの保持部６ｃのそれぞれの端部に第１パネル４と一体化する際に用いられる嵌合凸部６ｅを有する。
【００４５】  図３に示すように、第１パネル４及び第２パネル６は、可撓性のチューブにより構成される血液回路１０及び可撓性のチューブにより構成される透析液回路１２を第１パネル４のチューブ収納部４ｂと第２パネル６のチューブ収納部６ｂにより挟み、血液回路１０及び透析液回路１２をチューブ収納部４ｂとチューブ収納部６ｂとの間に形成される空間に収納する。またダイアライザー８を保持部４ｃ及び保持部６ｃで保持する。そして第１パネル４及び第２パネル６は、第１パネル４のチューブ収納部４ｂに形成されている嵌合凹部４ｄ及び保持部４ｃに形成されている嵌合凹部４ｅを、第２パネル６のチューブ収納部６ｂに形成されている嵌合凸部６ｄ及び保持部６ｃに形成されている嵌合凸部６ｅに嵌合することにより一体化される。
【００４６】  ここで保持部４ｃ及び保持部６ｃは、それぞれチューブ収納部４ｂ及びチューブ収納部６ｂの一方の端部から延設されている。従って第１パネル４及び第２パネル６を一体化させ、保持部４ｃ及び保持部６ｃによりダイアライザー８を保持した場合に、ダイアライザー８とチューブ収納部４ｂ及びチューブ収納部６ｂの一方の端部との間に所定の空間２０が形成される。
【００４７】  また第１パネル４のチューブ収納部４ｂの一方の側部に延設されている保持部４ｃ及び第２パネル６のチューブ収納部６ｂの一方の側部に延設されている保持部６ｃは、チューブ収納部４ｂ及びチューブ収納部６ｂの一方の側部よりも外側に位置するように設けられている。従って一体化した第１パネル４及び第２パネル６は、それぞれ一方の側部形状（一体化した第１パネル４及び第２パネル６の図２における上側部の形状）と他方の側部形状（一体化した第１パネル４及び第２パネル６の図２における下側部の形状）が非対称となる形状を有している。
【００４８】  図４に示すように血液回路１０は、途中にダイアライザー８が接続されると共に、血液浄化装置１により、例えば気泡の検出を行う気泡検出器（図示せず）や圧力の検出を行う圧力検出器（図示せず）等の所定の位置にセットされる血液チューブアクセス部１０ａ，１０ｂ，１０ｃを有している。血液回路１０は、血液チューブアクセス部１０ａ，１０ｂ，１０ｃを開口部４ａ，６ａにより形成される窓部に位置させ、血液チューブアクセス部１０ａ，１０ｂ，１０ｃを露出させた状態でチューブ収納部４ｂとチューブ収納部６ｂにより形成される空間内に収納されている。
【００４９】  ここで血液チューブアクセス部１０ａ，１０ｂはそれぞれ、気泡の検出を行う気泡検出器及び圧力の検出を行う圧力検出器により、気泡の検出や圧力の検出を直接行うことができる所定の位置にセットされる。また血液チューブアクセス部１０ｃは、血液回路１０内の血液の流量を制御する流量制御部としての血液ポンプ（図示せず）により、血液の流量の制御を直接行うことができる所定の位置にセットされる。
【００５０】  血液回路１０の血液チューブアクセス部１０ａ，１０ｂ，１０ｃ以外の部分は、チューブ収納部４ｂの開口部４ａ及びチューブ収納部６ｂの開口部６ａ以外の部分、即ち開口部４ａ，６ａの周囲においてチューブ収納部４ｂとチューブ収納部６ｂにより形成される空間内に収容されている。
【００５１】  なお、血液浄化装置１のカセットスロット１ａに体外循環用カセット２を装着した際に、体外循環用カセット２のカセットスロット１ａに挿入されない部分においては、血液回路１０の血液チューブアクセス部１０ａ，１０ｂ，１０ｃ以外の部分の一部が体外循環用カセット２から露出している。また血液回路１０の血液チューブアクセス部１０ａ，１０ｂ，１０ｃ以外の部分の一部が、開口部４ａ及び開口部６ａにより形成される空間に露出していてもよい。
【００５２】  また透析液回路１２は、途中に血液浄化装置１により、例えば透析液ポンプ（図示せず）の所定の位置にセットされる透析液チューブアクセス部１２ａ，１２ｂを有している。透析液回路１２は、透析液チューブアクセス部１２ａ，１２ｂを開口部４ａ，６ａにより形成される窓部に位置させ、透析液チューブアクセス部１２ａ，１２ｂを露出させた状態でチューブ収納部４ｂとチューブ収納部６ｂにより形成される空間内に収納されている。
【００５３】  ここで透析液チューブアクセス部１２ａ，１２ｂはそれぞれ、透析液回路１２内の透析液の流量を制御する流量制御部としての透析液ポンプにより透析液の流量を直接制御することができる所定の位置にセットされる。透析液回路１２の透析液チューブアクセス部１２ａ，１２ｂ以外の部分は、チューブ収納部４ｂの開口部４ａ及びチューブ収納部６ｂの開口部６ａ以外の部分、即ち開口部４ａ，６ａの周囲においてチューブ収納部４ｂとチューブ収納部６ｂにより形成される空間内に収容されている。
【００５４】  なお、血液浄化装置１のカセットスロット１ａに体外循環用カセット２を装着した際に、体外循環用カセット２のカセットスロット１ａに挿入されない部分においては、透析液回路１２の透析液チューブアクセス部１２ａ，１２ｂ以外の部分の一部が体外循環用カセット２から露出している。また透析液回路１２の透析液チューブアクセス部１２ａ，１２ｂ以外の部分の一部が、開口部４ａ及び開口部６ａにより形成される空間に露出していてもよい。
【００５５】  なお、血液ポンプには、血液チューブアクセス部１０ｃをフィンガーによりしごくフィンガーポンプ等が用いられる。また透析液ポンプには、透析液チューブアクセス部１２ａ，１２ｂをフィンガーによりしごくフィンガーポンプ等が用いられる。
【００５６】  図５は、血液浄化装置に体外循環用カセットを装着した状態を示す斜視図である。体外循環用カセット２を血液浄化装置１のカセットスロット１ａに挿入し装着すると、血液浄化装置１内において血液チューブアクセス部１０ａ，１０ｂ，１０ｃ、透析液チューブアクセス部１２ａ，１２ｂが所定の位置にセットされる。即ち、血液チューブアクセス部１０ａ，１０ｂは、それぞれ気泡検出器及び圧力検出器により検出可能な位置にセットされ、血液チューブアクセス部１０ｃは、血液ポンプにより血液流量の制御が可能な位置にセットされる。また、透析液チューブアクセス部１２ａ，１２ｂは、それぞれ透析液ポンプにより透析液の流量制御が可能な位置にセットされる。
【００５７】  従って、この実施の形態に係る体外循環用カセット２によれば、可撓性チューブにより構成される血液回路１０及び透析液回路１２を剛性を有する第１パネル４及び第２パネル６により形成される空間に収納し、血液回路１０の血液チューブアクセス部以外の部分の少なくとも一部及び透析液回路１２の透析液チューブアクセス部以外の部分の少なくとも一部を窓部以外の位置に位置させるため、体外循環用カセット２を血液浄化装置１のカセットスロット１ａへ挿入する際にチューブが邪魔にならず容易に挿入することができる。
【００５８】  また血液回路４の血液チューブアクセス部１０ａ，１０ｂ，１０ｃ及び透析液回路１２の透析液チューブアクセス部１２ａ、１２ｂを第１パネル４及び第２パネル６の窓部に位置させているため、血液チューブアクセス部１０ａ，１０ｂ，１０ｃ及び透析液チューブアクセス部１２ａ、１２ｂの所定位置へのセットも正確に行うことができる。更に第１パネル４及び第２パネル６を一体化させることにより形成された空間に血液回路１０及び透析液回路１２を収納する構造であるため、体外循環用カセット２を安価に製造することができる。
【００５９】  またこの実施の形態に係る体外循環用カセット２によれば、一体化した第１パネル４及び第２パネル６の一方の側部形状と他方の側部形状が非対称であるため、血液浄化装置１のカセットスロット１ａに体外循環用カセット２を装着する際に、体外循環用カセット２の向きを間違えて挿入するのを防止することができる。
【００６０】  またこの実施の形態に係る体外循環用カセットによれば、ダイアライザー８と第１パネル４及び第２パネル６との間には空間２０が形成されているため、ダイアライザー８を手で持って体外循環用カセット２を血液浄化装置１に着脱することができる。
【００６１】  なお上述の実施の形態においては、２枚のパネルである第１パネル４及び第２パネル６を一体化させることにより形成された空間に血液回路１０及び透析液回路１２を収納しているが、１つのパネルを折り曲げて血液回路１０及び透析液回路１２を収納する第１パネル及び第２パネルを形成してもよい。このような構成にすることで更に製造コストの削減を図ることができる。
【００６２】  また上述の実施の形態においては、第１パネル４及び第２パネル６により形成された空間に血液回路路１０と透析液回路１２とを収納しているが、血液回路１０のみを収納するようにしてもよい。
【００６３】  また上述の実施の形態においては、第１パネル４及び第２パネル６に窓部である開口部を設けているが、これに限らず窓部の全体が第１パネル４及び第２パネル６と同一の材料で第１パネル４及び第２パネル６と一体に形成された薄いシート状の部位で覆われるようにしてもよい。即ち血液チューブアクセス部１０ａ，１０ｂ，１０ｃ及び透析液チューブアクセス部１２ａ，１２ｂのそれぞれの間が第１パネル４及び第２パネル６と同一の材料のシート状の部位で接続されるようにしてもよい。この場合には血液チューブアクセス部１０ａ，１０ｂ，１０ｃ及び透析液チューブアクセス部１２ａ，１２ｂを、窓部を覆うシート状の部位と一体に形成してもよい。
【００６４】  また上述の実施の形態においては、血液透析用のダイアライザー（血液浄化手段）８を有する体外循環用カセット２について説明したが、ダイアライザー８を有さない体外循環用カセットであってもよい。またダイアライザー８に代えて他の血液浄化手段を備えてもよい。
【００６５】  また上述の実施の形態に係る体外循環用カセット２において、一体化した第１パネル４及び第２パネル６の一方の側部の厚さと他方の側部の厚さ、即ち体外循環用カセット２の図２における上部である一方の端部の厚さ（図２における第１パネル４の上部の外壁から第２パネル６の上部の外壁までの厚さ）と下部である他方の端部の厚さ（図２における第１パネル４の下部の外壁から第２パネル６の下部の外壁までの厚さ）を異ならせるようにしてもよい。このような構成にすることで、血液浄化装置１のカセットスロット１ａに体外循環用カセット２を装着する際に、体外循環用カセット２の向きを間違えて挿入するのを防止することができる。
【００６６】  また上述の実施の形態においては、体外循環用カセット２の第１パネル４及び第２パネル６のそれぞれ対応する部分に、開口部４ａ，４ｂにより構成される窓部を形成しているが、体外循環用カセット２の第１パネル４または第２パネル６のいずれか一方に開口部により構成される窓部を形成するようにしてもよい。
【００６７】  また上述の実施の形態においては、第１パネル４及び第２パネル６は、チューブ収納部４ｂ及びチューブ収納部６ｂの略中央に窓部を有しているが、窓部の位置は、チューブ収納部４ｂ及びチューブ収納部６ｂの中央部に限らず、第１パネル４及び第２パネル６の周縁部に設けてもよい。
【００６８】  また上述の実施の形態においては、血液チューブアクセス部１０ａ，１０ｂは、気泡検出器及び圧力検出器の所定の位置にセットされているが、これに限らず血液の流量を制御する血液流量制御部（血液ポンプ）、血液の検出を行う血液検出器、血液チューブアクセス部を閉塞するクランプ手段、血液の流量を検出する流量検出器等の所定の位置にセットされるようにしてもよい。即ち血液チューブアクセス部１０ａ，１０ｂが血液流量制御部（血液ポンプ）により血液の流量を制御可能な位置、クランプ手段によりクランプ可能な位置、血液検出器や流量検出器によりセンシング可能な位置等の所定の位置にセットされるようにしてもよい。
【００６９】  また血液チューブアクセス部１０ｃは、血液流量制御部（血液ポンプ）の所定の位置にセットされているが、これに限らず血液の検出を行う血液検出器、血液チューブアクセス部を閉塞するクランプ手段、血液の流量を検出する流量検出器、気泡検出器、圧力検出器等の所定の位置にセットされるようにしてもよい。即ち血液チューブアクセス部１０ｃが血液検出器、流量検出器、気泡検出器、圧力検出器によりセンシング可能な位置、クランプ手段によりクランプ可能な位置等の所定の位置にセットされるようにしてもよい。
【００７０】  また透析液チューブアクセス部１２ａ，１２ｂはそれぞれ、透析液流量制御部（透析液ポンプ）の所定の位置にセットされているが、血液の検出を行う血液検出器、圧力の検出を行う圧力検出器、透析液チューブアクセス部を閉塞するクランプ手段、透析液の流量を検出する流量検出器等の所定の位置にセットされるようにしてもよい。即ち透析液チューブアクセス部１２ａ，１２ｂが血液検出器、圧力検出器、流量検出器によりセンシング可能な位置、クランプ手段によりクランプ可能な位置等の所定の位置にセットされるようにしてもよい。
【００７１】  また上述の実施の形態においては、第１パネル４のチューブ収納部４ｂに形成されている嵌合凹部４ｄ及び保持部４ｃに形成されている嵌合凹部４ｅを、第２パネル６のチューブ収納部６ｂに形成されている嵌合凸部６ｄ及び保持部６ｃに形成されている嵌合凸部６ｅに嵌合することにより第１パネル４及び第２パネル６を一体化させているが、これに限らず第１パネル４及び第２パネル６を接着剤等により接着させることにより一体化するようにしてもよい。
【００７２】  また上述の実施の形態においては、剛性を有する第１パネル４及び第２パネル６により体外循環用カセット２を構成しているが、剛性を有する第１パネル４及び第２パネル６は、樹脂製であってもよく、更に剛性を有するものであれば材質は限定されない。
【００７３】  また上述の実施の形態においては、体外循環用カセット２の第１パネル４または第２パネル６の窓部に、血液チューブアクセス部１０ａ，１０ｂ，１０ｃ及び透析液チューブアクセス部１２ａ，１２ｂが、体外循環用カセット２の他方の端部側から順に、血液チューブアクセス部１０ａ，１０ｂ，１０ｃ、透析液チューブアクセス部１２ａ，１２ｂの順番で配置されているが、配置の順番は上述の実施形態の順番に限定されない。
【００７４】  また上述の実施の形態においては、血液浄化装置１の前面に、垂直方向に延びる開口を有するカセットスロット１ａが設けられているが、水平方向に延びる開口を有するカセットスロットを設け、体外循環用カセット２を水平に向けてカセットスロットに挿入するようにしてもよい。
【００７５】  また上述の実施の形態の体外循環用カセット２を血液浄化装置１のカセットスロット１aに挿入するのではなく、血液浄化装置１の壁面に引っ掛けることにより血液浄化装置１の所定の位置に配置するようにしてもよい。即ち図６に示すように体外循環用カセット２に２つの貫通穴５aを形成し、図７に示すように２つの貫通穴５aに血液浄化装置１の側壁等に設けられた２つのボス１ｂをそれぞれ貫通させることにより、体外循環用カセット２を血液浄化装置１のボス１ｂに引っ掛け、血液浄化装置１の所定の位置に配置するようにしてもよい。このような構成とした場合、体外循環用カセット２を血液浄化装置１のボス１ｂに引っ掛けることにより、血液チューブアクセス部１０ａ，１０ｂ，１０ｃ及び透析液チューブアクセス部１２ａ，１２ｂが血液浄化装置１の所定の位置にセットされる。またこのような構成とした場合、血液浄化装置１の幅方向（図７の左右方向）の大きさを小さくすることができる。また体外循環用カセット２を血液浄化装置１に引っ掛ける方式であるため、清掃やメンテナンスを容易に行うことができる。
【００７６】  なお貫通穴５aの数、形成する位置は、血液チューブアクセス部１０ａ，１０ｂ，１０ｃ及び透析液チューブアクセス部１２ａ，１２ｂが血液浄化装置１の所定の位置にセットできるように適宜選択すればよい。さらに血液浄化装置１に形成するボス１ｂの数は、貫通穴５aの数に基づき決定され、血液チューブアクセス部１０ａ，１０ｂ，１０ｃ及び透析液チューブアクセス部１２ａ，１２ｂが血液浄化装置１の所定の位置にセットできる位置に形成される。
【００７７】  また上述の実施の形態において、体外循環用カセット２を構成する一体化した第１パネル及び第２パネルに血液浄化装置１に形成されたカセットスロット１a内に設けられたレールに嵌合するガイドを備えてもよい。即ち図８に示すように一体化した第１パネル４及び第２パネル６の一方の側部及び他方の側部にガイド５ｂを形成し、図９に示すように血液浄化装置１に形成されたカセットスロット１aに体外循環用カセット２を挿入した場合に、一体化した第１パネル４及び第２パネル６の一方の側部及び他方の側部に形成されたガイド５ｂがカセットスロット１a内に設けられたレール１ｃに嵌合するようにしてもよい。ここで図９はカセットスロット１a内に設けられたレール１ｃ及びレール１ｃに嵌合したガイド５ｂを見ることができるようにカセットスロット１a内を示す図である。なおガイド５ｂを形成する位置は、体外循環用カセット２のカセットスロット１aに挿入される第１パネル及び第２パネルの一方の側部の何れかの位置、及び他方の側部の何れかの位置である。
【００７８】  体外循環用カセット２を構成する第１パネル及び第２パネルに血液浄化装置１に形成されたカセットスロット１a内に設けられたレールに嵌合するガイドを備えることにより、体外循環用カセット２を血液浄化装置１のカセットスロット１aに挿入する際の操作性を向上させることができる。
【００７９】  また上述の実施の形態において、体外循環用カセット２を構成する第１パネル４及び第２パネル６少なくとも一方の血液浄化装置１のカセットスロット１aに挿入する部分に、カセット側嵌合部である凹部を形成し、この凹部がカセットスロット１ｃ内に設けられたカセットスロット側嵌合部である突起部と嵌合するようにしてもよい。即ち図１０に示すように第１パネル４のカセットスロット１aに挿入する部分に凹部４ｆを設け、体外循環用カセット２を血液浄化装置１のカセットスロット１aに挿入（図１１に示す矢印方向に挿入）した場合に、カセットスロット１ｃ内に設けられた、例えば板バネ等の突起部１ｄに嵌合させる。これにより体外循環用カセット２のカセットスロット１aへの挿入が完了したことを感知でき、操作性を向上させることができる。なお凹部４ｆを設ける位置は、血液浄化装置１のカセットスロット１aに挿入する何れかの位置であればよく、カセットスロット１ｃ内に設ける突起部１ｄは、凹部４ｆの位置に対応する位置に設けられる。またカセット側嵌合部は、凹部４ｆに限定されるものではなく、カセットスロット側嵌合部は、突起部１ｄに限定されるものではない。カセット側嵌合部及びカセットスロット側嵌合部は、体外循環用カセット２のカセットスロット１aへの挿入の完了を感知できる構造のものであればよい。
【００８０】  また上述の実施の形態において、体外循環用カセット２に血液チューブアクセス部１０ａ，１０ｂ，１０ｃの両端及び透析液チューブアクセス部１２ａ，１２ｂの両端に接続されたコネクタを備え、このコネクタを嵌合する狭小部を設けてもよい。図１２は体外循環用カセット２から第１パネル４を取り除いた状態を示す図である。この図に示すように体外循環用カセット２には、血液チューブアクセス部１０ａ，１０ｂ，１０ｃの両端及び透析液チューブアクセス部１２ａ，１２ｂの両端に接続されたコネクタ１３を嵌合させる複数の嵌合部７が設けられている。図１３は図１２に示す円内を示す拡大図であるが、嵌合部７内にはコネクタ１３の外径よりも内径が小さい狭小部７aが形成されている。嵌合部７内に狭小部７aを形成することにより第２パネル６に血液チューブアクセス部１０ａ，１０ｂ，１０ｃの両端及び透析液チューブアクセス部１２ａ，１２ｂの両端に接続されたコネクタ１３を固定することができ、体外循環用カセット２の組み立ての作業性を向上させることができる。なお狭小部７aは第１パネル４に形成してもよく、更に第１パネル４及び第２パネル６の両方に形成してもよい。
【符号の説明】
【００８１】１…血液浄化装置、１ａ…カセットスロット、２…体外循環用カセット、４…第１パネル、４ａ…開口部、４ｂ…チューブ収納部、４ｃ…保持部、４ｄ，４ｅ…嵌合凹部、６…第２パネル、６ａ…開口部、６ｂ…チューブ収納部、６ｃ…保持部、６ｄ，６ｅ…嵌合凸部、８…ダイアライザー、１０…血液回路、１０ａ，１０ｂ，１０ｃ…血液チューブアクセス部、１２…透析液回路、１２ａ、１２ｂ…透析液チューブアクセス部
【図１】
2017141747.tif 000003
【図２】
2017141747.tif 000004
【図３】
2017141747.tif 000005
【図４】
2017141747.tif 000006
【図５】
2017141747.tif 000007
【図６】
2017141747.tif 000008
【図７】
2017141747.tif 000009
【図８】
2017141747.tif 000010
【図９】
2017141747.tif 000011
【図１０】
2017141747.tif 000012
【図１１】
2017141747.tif 000013
【図１２】
2017141747.tif 000014
【図１３】
2017141747.tif 000015
【国際調査報告】
2017141747.tif 000016
2017141747.tif 000017
2017141747.tif 000018
2017141747.tif 000019